(57)【要約】【課題】盗難にあったカバンが盗難にあった場所から遠距離に離れるまでに、盗難を行った者を威圧し、盗難行為を諦めさせるカバンを提供する。【解決手段】カバン内部に、ＲＦ受信機と、電源供給バッテリーと、スピーカーと、高圧発生手段と、音声警報告知手段と、光発生手段と、金属線排出手段と、ＧＰＳ搭載携帯電話と、ＲＦ受信機からの信号コードに応じて、電源供給バッテリーに対して電源供給信号を生成および前記各手段に対して作動信号と作動停止信号を生成するデコード回路を備えるもので、特に、金属線排出手段は、一端がカバン内部に固定され他端が錘に巻き付けられている金属線が、カバン底部に設けた開閉手段が開くことで、錘の落下作用によりカバン外部に排出される。【選択図】図１
0003129134.tif 000002
【実用新案登録請求の範囲】
【請求項１】
カバン内部に、ＲＦ受信機と、電源供給バッテリーと、スピーカーと、高圧発生手段と、音声警報告知手段と、光発生手段と、金属線排出手段と、ＧＰＳ搭載携帯電話手段と、前記ＲＦ受信機からの信号コードに応じて、前記電源供給バッテリーに対して電源供給信号を生成および前記各手段に対して作動信号と作動停止信号を生成するデコード回路と、を備えたことを特徴とする盗難防止用カバン装置。
【請求項２】
前記金属線排出手段は、一端がカバン内部に固定され他端が錘に巻き付けられている金属線が、カバン底部に設けた開閉手段が開くことで前記錘の落下作用によりカバン外部に排出されるものであることを特徴とする請求項１に記載の盗難防止用カバン装置。
【請求項３】
前記盗難防止用カバン装置において、催涙ガス噴出手段が更に備えられたことを特徴とする請求項１又は２に記載の盗難防止用カバン装置。
【考案の詳細な説明】
【技術分野】
【０００１】
本考案は、貴重品を移送時に盗難に遭遇した場合において、盗難を行った者からカバンを回収することができる盗難防止用カバン装置に関するものである。
【背景技術】
【０００２】
従来の盗難防止カバンとして、無線コントロールを利用してカバンの持ち手部分などに高圧を発生させ、カバンの搬送者に対して瞬間的なショックを発生させ、盗難を行った者がカバンを手放すようなものが知られていた。
また、高圧を発生させると同時に、周囲の注意を喚起するための警報音を発するものも考案されている（例えば、特許文献１）。
【０００３】
【特許文献１】特開２００３−５１０７３号公報
【考案の開示】
【考案が解決しようとする課題】
【０００４】
しかし、上述したような従来の盗難防止カバンのように高圧を発生させるものは、盗難を行った者が絶縁可能な手袋を着用している場合には、その効果が得にくかった。
また、従来の盗難防止カバンに見られる警報音を発するものの場合には、一瞬周囲の注意を喚起するものの、時と場所によってはその効果が十分に機能しない場合もある。警報音よりも、盗難を行ったものに対してメッセージ伝達や盗難されたカバンであるといった告知メッセージの方が効果を得られやすい。しかしながら、盗難を行ったものに対してメッセージ伝達といったことが行える盗難防止カバンものは見当たらない。
さらに、盗難を行った者がカバンを持って逃走するのを困難にするような機械的仕掛けが施されたものも少ない。
【０００５】
上述の問題点から、本考案は、盗難にあったカバンが盗難にあった場所から遠距離に離れるまでに、盗難を行った者を威圧し、カバンの盗難行為を諦めさせるため、メッセージ伝達手段と光と音と高圧発生による威嚇手段とＧＰＳ（Global Positioning System）搭載携帯電話手段と無線による遠隔操作手段を備えた盗難防止用カバン装置を提供する。
【課題を解決するための手段】
【０００６】
上記目的を達成するため、本考案の盗難防止用カバン装置は、カバン内部に、ＲＦ受信機と、電源供給バッテリーと、スピーカーと、高圧発生手段と、音声警報告知手段と、光発生手段と、金属線排出手段と、ＧＰＳ搭載携帯電話手段と、前記ＲＦ受信機からの信号コードに応じて、前記電源供給バッテリーに対して電源供給信号を生成および前記各手段に対して作動信号と作動停止信号を生成するデコード回路と、を備えたことを特徴とする。
【０００７】
ここで、カバンは、ビジネス用の片手持ちカバンに限らず、女性が持つハンドバックや持ち運びできる収納ケースやキャリー付きの旅行カバンが含まれる意味で用いている。
また、ＲＦ（Radio Frequency）受信機とは、盗難の被害者が遠隔から本考案の盗難防止用カバン装置に対して無線を利用して電波を発射したものを受信するものである。受信した電波から、後述するデコード回路により電源供給信号と作動信号と作動停止信号を生成する。また、電源供給バッテリーは、カバンに内蔵された電子回路に電源を供給する役目と後述する高圧発生手段に電源を供給する役目がある。スピーカーは、後述する音声警報告知手段からの音声および警報音とＧＰＳ搭載携帯電話から音声メッセージを増幅するものである。
【０００８】
次に、高圧発生手段は、高電圧発生回路を利用したもので、バッテリー電圧を例えば約３０万ボルトに高め、それをカバンの取っ手の両端に付加するものである。
【０００９】
次に、音声警報告知手段は、例えば、音声合成半導体を利用した録音再生可能なものである。
【００１０】
次に、光発生手段は、例えば、直流電圧を、高電圧発生回路を利用して、１５００ボルトに電圧を上昇させて、キセノン放電管を発光させるものである。キセノン放電管を利用した発光により盗難を行った者がカバンを持って逃走することを困難とするものである。
【００１１】
次に、金属線排出手段は、具体的には、一端がカバン内部に固定され他端が錘に巻き付けられている金属線が、カバン底部に設けた開閉手段が開くことで、前記錘の落下作用によりカバン外部に排出されるものであるものが好適である。ここで、金属線は鉄線などが持ちいたれる。錘の代わりにある程度の重量がある鉄鎖でもよい。また、錘はカバンから落下した後、転がるような形状が好ましい。例えば、球形や車輪のような形状が好適である。
【００１２】
より具体的には、例えば、錘に鉄線を絡ませた鉄線をカバン底部の箱内に入れ、底部に取り付けた開閉手段である蓋にソレノイドを設置する。平常時にはソレノイドが蓋を支持し、錘がカバンの外に排出されることのないようにする。盗難時、すなわちＲＦ受信機が作動信号を意味する電波を受信すると、ソレノイドが作動して、錘が自然荷重によって箱から落下し、鉄線がカバン外部に排出される。
これにより、盗難を行った者は、カバンを搬送することが困難となり、他の音声や光の発生と相俟って、カバンを持ちつづけたままの逃走を諦めることになる。この金属線排出手段は、迅速な逃走阻止用として有用である。
【００１３】
次に、ＧＰＳ搭載携帯電話は、カバン内部に設置され、盗難時に、盗難を行った者とカバンの所有者（盗難にあった者）との対話またはメッセージ伝達が可能にするものである。ＧＰＳ搭載としたのは、追跡装置など特殊な装置を装備しなくとも、盗難にあったカバンの位置追跡を可能するためである。メッセージ伝達を行う目的としては、メッセージの内容によっては、盗難を行った者に、極度の緊張感の誘発や周囲への注意喚起といったことができるのが狙いである。
【００１４】
そして、デコード回路は、ＲＦ受信機からの信号コードに応じて、前記電源供給バッテリーに対して電源供給信号を生成および前記各手段に対して作動信号と作動停止信号を生成するものである。
【００１５】
また、上記の本考案の盗難防止用カバン装置において、催涙ガス噴出手段が更に備えられることが好適である。カバンを搬送する盗難を行った者に対して、涙や鼻水を誘発させて、迅速な逃走を阻止するものである。また、瞬間的な身体麻痺により、逃走を諦めされるといった作用もある。
【考案の効果】
【００１６】
本考案の盗難防止用カバン装置は、無線コントロール装置と電子回路、さらには機械装置を利用することにより、盗難にあったカバンが盗難にあった場所から遠距離に離れるまでに、盗難を行った者を威圧し、盗難を行った者にカバンの盗難行為を諦めさせるといった効果がある。
【考案を実施するための最良の形態】
【００１７】
以下、本考案の盗難防止用カバン装置の実施例について、以下、図面を参照しながら詳細に説明していく。
【実施例１】
【００１８】
図１は、本考案の盗難防止用カバン装置の機能ブロック図である。
先ず、ＲＦ送信機１２のチャネル１（ＣＨ１）スイッチを押下すると、ＲＦ送信機１２からチャネル１スイッチに対応する電波が発信される。ＲＦ受信機１１でチャネル１スイッチに対応する電波が受信されると、Ｃｏｒｄ分割機により信号が電源供給信号出力回路１３に送られ、電源供給装置１６によって本装置内蔵の電子回路に電源が供給される。
【００１９】
次に、ＲＦ送信機１２のチャネル２（ＣＨ２）スイッチを押下すると、ＲＦ送信機１２からチャネル２スイッチに対応する電波が発信される。ＲＦ受信機１１でそのチャネル２スイッチに対応する電波が受信されると、Ｃｏｒｄ分割機により信号が作動信号出力回路１３に送られ、音声警報装置１７によって予め録音していたメッセージがスピーカー２３を通じて音声出力される。また、高圧発生装置１８から高圧電圧（約３０万ボルト）がカバンの取っ手、或いはそれに加えてカバン周囲に供給され、盗難を行った者にショックを与えることができる。
【００２０】
また、鉄線吐出装置２０は、錘に絡められた鉄線（Steel Wire）２４をカバン外部に放出させる。また、キセノン放電装置２１は、キセノン放電管２５に約１５００ボルトの電圧を発生させて、間歇的に点滅して周囲の注意を喚起することが可能となる。さらに、催涙ガス噴出装置１９は、催涙ガスタンクとソレノイドバルブとノズルで構成され、催涙ガスを噴出する。
【００２１】
また、カバンの持ち主が、携帯電話通話装置２２に接続されたＧＰＳ搭載の携帯電話２６を利用して盗難を行った者に対してメッセージ及び通話をすることが可能である。携帯電話はＧＰＳ搭載により、携帯電話２６の位置追跡を通して、紛失したカバンの位置を追跡することも可能である。
【００２２】
そして、ＲＦ送信機１２のチャネル３（ＣＨ３）スイッチを押下すると、ＲＦ送信機１２からチャネル３スイッチに対応する電波が発信される。ＲＦ受信機１１でそのチャネル３スイッチに対応する電波が受信されると、Ｃｏｒｄ分割機により信号が作動停止信号出力回路１５に送られ、各種装置の動作が停止する。
【００２３】
次に、図２は、本考案の盗難防止用カバン装置の概略構成図である。
図２の盗難防止用カバン１の概略構成図に示されるように、カバン内部上部には、電子回路内蔵ＢＯＸ２が設置されている。電子回路内蔵ＢＯＸ２の表面には、電源スイッチ４とバッテリー充電ジャック３とキセノン放電管２５と催涙ガス噴出用筒２８が取付けられている。電子回路内蔵ＢＯＸ２の内部には、図示しないＲＦ受信機、電源供給信号出力回路、作動信号出力回路、作動停止信号出力回路、電源供給装置、音声警報装置、高圧発生装置、催涙ガス噴出装置、キセノン放電装置が設けられている。
【００２４】
ここで、高圧発生装置では、カバンの取っ手に数万〜数１０万ボルトの高電圧を発生させることが可能である。
また、図２に示されるように、カバンの取っ手の横にはキセノン放電管を設置されており、警報の明かりが四方から識別可能となるようにしている。
また、カバン内部に設置されたＧＰＳ搭載携帯電話は、盗難を行った者との通話、すなわち様々なメッセージを伝達できるためのものである。
【００２５】
次に図３は、本考案の盗難防止用カバン装置のガス噴出手段の構成図である。図３に示されるように、催涙ガス噴出装置は、作動信号出力回路から動作信号を感知すると、ソレノイドバルブ４０が作動し、ガスタンク４１内の催涙ガスがガス噴出ノズル４２から噴出する。図２で示されるカバンの取っ手横の催涙ガス噴出用筒２８から催涙ガスが噴出するのである。
【００２６】
また、図２に示されるように、カバン下段には、鉄線排出ＢＯＸ５を設ける。鉄線排出ＢＯＸ５の内部には錘に鉄線を絡ませておき、蓋を下端に設置して、ソレノイドに信号が感知されれば蓋が開かれて錘に絡められた鉄線がカバン外部に解けられて出てくるように設置している。
図４に、本考案の盗難防止用カバン装置の鉄線排出手段の機能説明図を示す。図４（Ａ）は蓋が閉まっている状態であり、（Ｂ）は蓋が開いて錘に絡められた鉄線がカバン外部に解けられて出る様子を模式的に示している。
図４（Ａ）に示すように、鉄線排出ＢＯＸ５の内部には、鉄線５１を２輪車輪の形状をした錘５０に１．５ｍ程度巻きつけて、一端を鉄線排出ＢＯＸ５上部の鉄線固定部５２に固定させている。鉄線排出ＢＯＸ５はカバン底部に取付けられ、底部に開閉扉５５（蓋）が取り付けられている。開閉扉５５（蓋）はソレノイド５３により蝶番５４を介して開閉自由な構成とされている。
平常時にはソレノイド５３が開閉扉５５を支持し、錘５１がカバンの外に排出されることのないようにする。盗難時、すなわちＲＦ受信機が作動信号を意味する電波を受信すると、図４（Ｂ）に示すように、ソレノイド５３が作動して、錘５０が自然荷重によって鉄線排出ＢＯＸ５から落下し、鉄線５１がカバン外部に排出されるのである。
【００２７】
以上説明したように、貴重品が入ったカバンが盗難にあった場合、盗難にあった者は、遠隔操作により、警報音やキセノン警光灯や高電圧による威嚇、また鉄線排出による搬送の困難性を高めることができ、カバンを持って自由に逃走されるのを回避できるのである。音声メッセージと警報音やキセノン警光灯を利用することにより、カバン周囲の注意を喚起させ、カバンを持って逃走することが困難な状況を作り出せるのである。
【産業上の利用可能性】
【００２８】
本考案によれば、盗難防止用カバン装置を提供することができる。
【図面の簡単な説明】
【００２９】
【図１】本考案の盗難防止用カバン装置の機能ブロック図
【図２】本考案の盗難防止用カバン装置の概略構成図
【図３】本考案の盗難防止用カバン装置のガス噴出手段の構成図
【図４】本考案の盗難防止用カバン装置の鉄線排出手段の機能説明図
【符号の説明】
【００３０】
１    盗難防止用カバン装置
２    電子回路内蔵ＢＯＸ
３    バッテリー充電ジャック
４    電源スイッチ
５    鉄線排出ＢＯＸ
１１  ＲＦ受信機
１２  ＲＦ送信機
１３  電源供給信号出力回路
１４  作動信号出力回路
１５  作動停止信号出力回路
１６  電源供給装置
１７  音声警報装置
１８  高圧発生装置
１９  催涙ガス噴出装置
２０  鉄線吐出装置
２１  キセノン放電装置
２２  携帯電話通話装置
２３  スピーカー
２４  錘と鉄線
２５  キセノン放電管
２６  携帯電話
２８  催涙ガス噴出用筒
２９  感電用高圧発生装置
４０  ソレノイドバルブ
４１  ガスタンク
４２  ガス噴出ノズル
５０  錘
５１  鉄線
５２  鉄線固定部
５３  ソレノイド
５４  蝶番
５５  開閉扉
【図１】
0003129134.tif 000003
【図２】
0003129134.tif 000004
【図３】
0003129134.tif 000005
【図４】
0003129134.tif 000006